(57)【要約】  当該発明は積載荷台に関するものであり、以下のことを特徴とする。すなわち、原則的に各々に平行に配置される第一棒（２）および第二棒（３）を有し、それにより第一棒（２）は原則的に単一面（８）に、第二棒（３）は前記単一面（８）に原則的に配置された上部（９）および前記単一面について下方に向けられた下方向部（１０）からなる。第三棒（４）は、第一棒（２）および第二棒（３）に対して横断的に配置される。それらは前記単一面の下に位置し、そして第一棒（２）、および第二棒（３）の上部（９）に接続される。積載荷台（１）は対応する積載荷台（１）上に積み重ねることができ、それにより第三棒（４）は、下に置かれた積載荷台（１）から前記単一面（８）に含まれるような棒（２）に接触することができる。第三棒（４）の高さ（ｈ５）は、積み重ねられた積載荷台間の空間の高さであり、昇降手段（１７）を前記空間に挿入して積載荷台を持ち上げることができる程の高さである。
2009500260.tif 000002
【特許請求の範囲】
【請求項１】
積載荷台であって、
少なくとも第一、第二および第三棒（２、３、４）を含み、
第一棒（２）および第二棒（３）が原則として各々に平行して配置され、
第一棒（２）が原則として平面（８）に配置され、
第二棒（３）が原則として前記平面（８）に配置される上部（９）および前記平面（８）に対して下方に向けられる下方向部（１０）を含み、
第三棒（４）が第一棒（２）および第二棒（３）に対して垂直に配置され、またそれらの棒は前記平面（８）の下に存在し、それらは第一棒（２）および第二棒（３）の上部（９）に接続され、
積載荷台（１）が対応する積載荷台（１）上へ積み重ねられ、それにより、一つの積載荷台（１）の下方向部（１０）が下に位置する積載荷台（１）の下方向部（１０）によって形成される上部開放空間（１４）内へ下方に突き出し、
第三棒（４）が、前記積載荷台（１）が下に位置する積載荷台（１）上に積み重ねられるときに、棒（２）が下に位置する積載荷台（１）から前記平面（８）に含まれるものとして棒（２）と接触するように積載荷台（１）上に配置され、
第三棒（４）の高さ（ｈ５）により、積み重ねられた積載荷台（１）の空間（２２）の高さが確保され、それにより積載荷台（１）を持ち上げるための昇降手段（１７）を前記空間（２２）に挿入することができること
を特徴とする積載荷台。
【請求項２】
下方向部（１０）が空間（１４または１９）を形成し、その中へ昇降手段（１７）を挿入することができ、その空間は相互に積み重ねられる異なった積載荷台（１）の間で前記空間（２２）によって囲まれることを特徴とする請求項１に記載の積載荷台。
【請求項３】
下方向部（１０）が、相互に積み重ねられる異なった積載荷台（１）の間で前記空間（２２）によって囲まれる二つの空間（１４または１９）を形成し、
二つの昇降手段（１７）のうちの一つが各々の前記空間（１４または１９）に挿入することができること
を特徴とする請求項１または２に記載の積載荷台。
【請求項４】
下方向部（１０）によって形成される空間（１４）は、前記下方向部（１０）に配置されることを特徴とする請求項２または３に記載の積載荷台。
【請求項５】
下方向部（１０）によって形成される空間（１９）は、下方向部（１０）の間に、好適には下方向部（１０）の間に配置される第三棒（４）の間に配置されることを特徴とする請求項２乃至４のいずれかに記載の積載荷台。
【請求項６】
積載荷台（１）が相互に積み重ねられたときに、上部の積載荷台（１）の下方向部（１０）は、上部の積載荷台（１）の下部に位置する積載荷台（１）の下方向部（１０）によって形成される上方開放空間（１４）と連携するように接触し、積み重ねられるときに積載荷台（１）が無理に押し込まれて抜けなくなるのを防止するように第三棒（４）の高さ（ｈ５）が選択されて下方向部（１０）が設計されることを特徴とする前項のいずれかに記載の積載荷台。
【請求項７】
第四棒（５）が原則として積載荷台（１）の前記平面（８）に位置し、原則として第一棒（２）および第二棒（３）に平行に配置され、積載荷台（１）の反対側に沿う側面の棒のように伸びることを特徴とする前項のいずれかに記載の積載荷台。
【請求項８】
積載荷台（１）が相互に積み重ねられたときに、積載荷台（１）の下方向部（１０）の下部（１２）は前記積載荷台（１）の下に位置する第三積載荷台（１）の当該平面（８）と原則的に同一面上に位置し、そこに前記第一棒（２）、第二棒（３）および第三棒（４）が位置するように下方向部（１０）が配置されることを特徴とする前項のいずれかに記載の積載荷台。
【請求項９】
前記第一、第二、第三および、また可能ならば第四棒（２、３、４およびまた可能ならば５）は、主にＵ型の基本的形状を横断面で示し、それは中心部（２３）とこの中心部から放射状に延びる支脚（２４、２５）を有することを特徴とする前項のいずれかに記載の積載荷台。
【請求項１０】
第一棒（２）および第二棒（３）のうちの少なくとも１つは前記平面（８）の上に存在しているそれらの中心部（２３）および下方向の支脚（２４、２５）に配置され、
支脚（２４、２５）がフランジ（２６）を有し、主に前記平面（８）に存在し、第一棒（２）および第二棒（３）が第三棒（４）に接続すること
を特徴とする請求項９に記載の積載荷台。
【請求項１１】
第一棒（２）が上方向フランジ部（２７）を有し、前記平面（８）に対して上方に伸びることを特徴とする請求項１０に記載の積載荷台。
【請求項１２】
第三棒（４）が、最も低い位置にある中心部（２３）および上方向の支脚（２４、２５）に配置され、
支脚（２４、２５）がフランジ（２８、２９）を有し、主に前記平面（８）に存在し、第三棒（４）を通して第一棒（２）および第二棒（３）に接続されること
を特徴とする請求項９乃至１１のいずれかに記載の積載荷台。
【請求項１３】
棒（２‐４）が内部への折り返し端部（３０）を有することを特徴とする前項のいずれかに記載の積載荷台。
【請求項１４】
第三棒（４）が凹鋲（３１）により、第一棒（２）、第二棒（３）および適切な場合には第四棒（５）と接続されることを特徴とする前項のいずれかに記載の積載荷台。
【請求項１５】
凹鋲（３１）が、穴のない棒（２−５）の一部を通して鋲止めされることを特徴とする請求項１４に記載の積載荷台。
【請求項１６】
棒（２‐５）は金属材、好適には亜鉛メッキ金属材からなることを特徴とする前項のいずれかに記載の積載荷台。
【請求項１７】
各々の積載荷台（１）が４本の第一棒（２）および３本の第二棒（３）を有し、２本の第一棒（２）が２本の第二棒（３）の間に配置されることを特徴とする前項のいずれかに記載の積載荷台。
【請求項１８】
各々の第二棒（３）が２つの下方向部（１０）有することを特徴とする前項のいずれかに記載の積載荷台。
【請求項１９】
各々の第二棒（３）が３つの下方向部（１０）を有することを特徴とする前項のいずれかに記載の積載荷台。
【請求項２０】
第二棒（３）の下方向部（１０）は下部（１２）を有し、それを通じて下方向部（１０）が底面（１３）と接触すること目的とし、
層すなわち要素（３２）が前記下部（１２）上に配置され、底面（１３）上の積載荷台（１）の摺動を防止すること
を特徴とする前項のいずれかに記載の積載荷台。
【請求項２１】
保護層すなわち保護要素（３２）が前記下部（１２）に配置され、好適にはアルミニウムからなりまたは含み、好適には鋲により取り付けられ、好適にはホローリベット（３１）により取り付けられることを特徴とする請求項２０に記載の積載荷台。
【請求項２２】
少なくとも１本の第三棒（４）が第二棒（３）の二つの下方向部（１０）の間に配置されることを特徴とする前項のいずれかに記載の積載荷台。
【請求項２３】
第二棒（３）の２つの下方向部（１０）のそれぞれが、支持部分（５５）を有し、
第三棒が上から荷重を受けて配置されるときに、第三棒（４）が前記二つの下方向部（１０）の間に配置されるように支持部分（５５）が配置されること
を特徴とする請求項２２に記載の積載荷台。
【請求項２４】
第四棒（５）は原則的にＵ型形状、中心部（２３）、この中心部から広がる支脚（２４、２５）および各々の支脚（２４および２５）から広がるフランジ（２８および２９）を有し、
各々のフランジ（２８および２９）が支持部分（５５）のうちの１つと接触すること
を特徴とする請求項２３に記載の積載荷台。
【請求項２５】
少なくとも一つの荷台枠（３３）を積載荷台（１）上に配置することができ、好適には荷台枠（３３）が金属材からなることを特徴とする前項のいずれかに記載の積載荷台。
【請求項２６】
荷台枠（３３）が保持部（３８）を有する側壁（３４‐３７）を有し、保持部（３８）は荷台枠（３３）が積載荷台（１）上に配置されるときに積載荷台（１）の棒（２‐５）の周囲を掴んで荷台枠（３３）が積載荷台（１）から摺動することを防止することを特徴とする請求項２５に記載の積載荷台。
【請求項２７】
保持部（３８）が、関連する側壁（３４‐３７）と一体であるように設計されることを特徴とする請求項２６に記載の積載荷台。
【請求項２８】
側壁（３４‐３７）は縦補剛性隆起（３９）を有し、側壁（３４‐３７）の壁材からの圧力により、好適にはこの壁材を圧延することによって形成されることを特徴とする請求項２６または２７に記載の積載荷台。
【請求項２９】
荷台枠（３３）の側壁（３４‐３７）が、接合部によって蝶番（４０）を通して各々に接続されることを特徴とする請求項２５乃至２８のいずれかに記載の積載荷台。
【請求項３０】
蝶番（４０）が隣接する側壁（３４−３７）からの摘み（４１、４３）によって形成され、それを含む荷台枠（３３）は管状の部品を形成し、その部品は回転を可能にする方法で軸（４５）を握持することを特徴とする請求項２９に記載の積載荷台。
【請求項３１】
蓋（４６）を荷台枠（３３）上に配置することができ、蓋（４６）が好適には金属材からなることを特徴とする請求項２５乃至３０のいずれかに記載の積載荷台。
【請求項３２】
蓋（４６）は荷台枠（３３）の側壁（３４−３７）を超えて伸びる端部（４７）を有し、荷台枠（３３）上に蓋（４６）を配置して水および物体が荷台枠（３３）内部の積載空間（４８）に侵入するのを防止することができることを特徴とする請求項３１に記載の積載荷台。
【請求項３３】
蓋（４６）が別の積載荷台（１）を上に配置できるように設計されることを特徴とする請求項３１または３２に記載の積載荷台。
【請求項３４】
蓋（４６）が摺動防止器（４９）を有し、その上に配置される積載荷台（１）が摺動し落下することを防止することを特徴とする請求項３３に記載の積載荷台。
【請求項３５】
前記摺動防止器（４９）が溝（５３）を形成する３つの上方向部（５０‐５２）を有し、その中に蓋（４６）に配置された積載荷台（１）の下方向部（１０）を配置することができることを特徴とする請求項３４に記載の積載荷台。
【請求項３６】
上方向部（５０‐５２）のうちの少なくとも１つ（５２）が穴（５４）を有し、持ち上げるときにそこに指を置いて蓋（４６）を握持することができることを特徴とする請求項３５に記載の積載荷台。
【請求項３７】
積載荷台（１）上に蓋（４６）を配置して、蓋（４６）上に配置された荷台枠（３３）の空間（４８）の底部を形成することができることを特徴とする請求項３０乃至３６のいずれかに記載の積載荷台。
【請求項３８】
積載荷台であって、
少なくとも金属材の第一、第二および第三棒（２、３、４）を有し、
第一棒（２）および第二棒（３）が原則として各々に平行して配置され、
第一棒（２）が原則として平面（８）に配置され、
第二棒（３）が原則として前記平面（８）に配置される少なくとも一つの上部（９）および前記平面（８）に関連して下方に向けられる下方向部（１０）を有し、
第三棒（４）が第一棒（２）および第二棒（３）に対して垂直に配置され、またそれらの棒は前記平面（８）の下に存在し、そしてそれらは第一棒（２）および第二棒（３）の上部（９）に接続され、
荷台枠（３３）を積載荷台（１）上に配置することができ、
荷台枠（３３）を折り返したり、折り畳んだり、折り重ねたりして最小高さｈ７を最大高さｈ６に比べて非常に低くすること可能であること
を特徴とする積載荷台。
【請求項３９】
荷台枠（３３）が積載荷台（１）上に配置されるときに、荷台枠（３３）を折り返したり、折り畳んだり、折り重ねたりすることができることを特徴とする請求項３８に記載の積載荷台。
【請求項４０】
蓋（４６）が荷台枠（３３）上に配置されるときに、荷台枠（３３）を折り返したり、折り畳んだり、折り重ねたりすることができるが、場合に限定されることを特徴とする請求項３８または３９に記載の積載荷台。
【請求項４１】
荷台枠（３３）が２つの端部（５８、５９）および２つの側部（６２、６３）を有し、
側部（６２、６３）に対して端部（５８、５９）を内側に折り畳むことができ、
端部（５８、５９）が折り畳まれた後、中心で側部（６２、６３）を折り畳むことができ、それにより端部（５８、５９）と側部（６２、６３）の一部が各々に隣接して配置されること
を特徴とする請求項３８乃至４０のいずれかに記載の積載荷台。
【請求項４２】
荷台枠（３３）が弾性体の端部および側部（６６‐６９）を有し、各々の方向へ折り畳むことができ、積載荷台（１）上に配置することができ、荷台枠（３３）がその最大高さ（ｈ６）より明らかに低い最小高さ（ｈ７）を達成することを特徴とする請求項３８乃至４１のいずれかに記載の積載荷台。
【請求項４３】
荷台枠（３３）の壁面（６６‐６９）は、４本の角柱（７０）によって直立が維持されて積載荷台（１）に取り付けられ、
角柱（７０）は積載荷台（１）から除去または積載荷台（１）に対して折り畳まれることを特徴とする請求項４２に記載の積載荷台。
【請求項４４】
蓋（４６）は前記角柱（７０）上に配置され、これらの角柱によって支持され、それにより角柱（７０）は垂直状態を維持できることを特徴とする請求項４３に記載の積載荷台。
【請求項４５】
荷台枠（３３）は角で接合部（４０）により相互に接続する４枚の側壁（３４‐３７）を有し、前記接合部は蝶番の形状を有して側壁（３４‐３７）を共に折ることができ、それにより荷台枠（３３）の高さを減少させ、
積載荷台（１）から荷台枠（３３）を取り外して共に折ることができること
を特徴とする請求項３８に記載の積載荷台。
【請求項４６】
各々の接合部（４０）は軸（４５）を有し、荷台枠（３３）が積載荷台（１）上に配置されるときに原則として垂直位を取り、
積載荷台（１）の一部が支持部品（７１）を有し、荷台枠（３３）が積載荷台（１）上に配置されたときに軸（４５）に対して支持を提供すること
を特徴とする請求項４５に記載の積載荷台。
【請求項４７】
各々の接合部（４０）が軸（４５）を有し、軸（４５）は２つの軸部（７２、７３）、すなわち下部枠（７４）を有する下軸部（７２）および上部枠（７５）を有する上軸部（７３）を有し、
下軸部（７２）は下方向端釘（７６）を有し、下方向端釘（７６）は積載荷台（１）の一部の穴（７７）に、好適にはこれの上の支持片（７１）の穴（７８）にも挿入することができることを目的とし、
上軸部（７３）は穴（７９）を有し、穴（７９）は下軸部（７２）の端釘（７６）を接合部に挿入することができることを目的とし、接合部は別の荷台枠（３３）の上段に配置される荷台枠（３３）の上に配置され、
下軸部（７２）および上軸部（７３）を荷台枠（３３）の側面上の摘み（４１、４３）に挿入することができ、下軸部（７２）および上軸部（７３）を相互に接続できること
を特徴とする請求項４５または４６に記載の積載荷台。
【請求項４８】
軸下部（７２）の下部枠（７４）と荷台枠（３３）の下端部の間を接触させることができ、軸上部（７３）の上部枠（７５）と荷台枠（３３）の上端部の間を接触させることができ、
軸部（７２、７３）を螺合することにより結合させることができ、一方で下部枠（７４）および上部枠（７５）が荷台枠（３３）の側面の異なる部位を結合することができること
を特徴とする請求項４６に記載の積載荷台。
【請求項４９】
荷台枠（３３）は弾性体の二重壁を有する側面（６６‐６９）を有し、
気体は壁と壁の間の空間内の大気圧以上で存在し、あるいは大気とは別種類、例えばアルゴンのようなガスが存在し、あるいはその両方であり、
制御装置は、空間内のガスの圧力およびガスの構成物の変化のうちの少なくとも１つを測定し、例えばこれらの壁面への被害を受けた結果として、壁面から液体漏れがあるどうかを判断するために配置されること
を特徴とする請求項３８乃至４８のいずれかに記載の積載荷台。
【請求項５０】
荷台枠（３３）の弾性壁は積載荷台（１）上に配置することができることを特徴とする請求項４９に記載の積載荷台。
【請求項５１】
荷台枠（３３）の側面の少なくとも一部は透明であることを特徴とする請求項３８乃至５０のいずれかに記載の積載荷台。
【請求項５２】
荷台枠（３３）の側面の少なくとも一部はケブラーからなるかまたはケブラーを含むことを特徴とする請求項３８乃至５１のいずれかに記載の積載荷台。
【請求項５３】
積載荷台であって、
少なくとも金属材の第一、第二および第三棒（２、３、４）を有し、
第一棒（２）および第二棒（３）が原則として各々に平行して配置され、
第一棒（２）が原則として単一平面（８）に配置され、
第二棒（３）が原則として前記平面（８）に配置される少なくとも一つの上部（９）および前記平面（８）に関連して下方に向けられる下方向部（１０）を有し、
第三棒（４）が第一棒（２）および第二棒（３）に対して垂直に配置され、またそれらの棒は前記平面（８）の下に存在し、それらは第一棒（２）および第二棒（３）の上部（９）に接続され、
少なくとも一つの応答機（５６）を有し、無線信号を受信するあるいは発信する、あるいはその両方を行い、
応答機は、積載荷台（１）の金属の棒（２−５）から距離をおいて設置され、それらが応答機への、あるいはそれからの無線信号を中断することを防止すること
を特徴とする積載荷台。
【請求項５４】
応答機（５６）がＲＦＩＤ型であることを特徴とする請求項５３に記載の積載荷台。
【請求項５５】
応答機（５６）は主要動力源を有する能動型であることを特徴とする請求項５４に記載の積載荷台。
【請求項５６】
応答機（５６）は主要動力源を有しない受動型であることを特徴とする請求項５４に記載の積載荷台。
【請求項５７】
積載荷台であって、
少なくとも金属材の第一、第二および第三棒（２、３、４）を有し、
第一棒（２）および第二棒（３）が原則として各々に平行して配置され、
第一棒（２）が原則として単一平面（８）に配置され、
第二棒（３）が原則として前記平面（８）に配置される上部（９）および前記平面（８）に対して下方に向けられる下方向部（１０）を少なくとも含み、
第三棒（４）が第一棒（２）および第二棒（３）に対して垂直に配置され、またそれらの棒は前記平面（８）の下に存在し、それらは第一棒（２）および第二棒（３）の上部（９）に接続され、
積載荷台（１）が対応する積載荷台（１）上へ積み重ねられ、それにより、一つの積載荷台（１）の下方向部（１０）が下部に位置する積載荷台（１）の下方向部（１０）によって形成される上部開放空間（１４）内へ下方に突き出し、
第三棒（４）が、前記積載荷台（１）が下に位置する積載荷台（１）上に積み重ねられるときに、棒（２）が下部に位置する積載荷台（１）から前記平面（８）に含まれるものとして棒（２）と接触するように積載荷台（１）上に配置され、
積載荷台（１）がネット（５７）あるいはそれと類似するものを含み、物品が棒（２、３、４）の間の隙間から落下することを防止し、また物品あるいは動物のどちらか、またはその両者が棒の間から上部に突き出ることを防止すること
を特徴とする積載荷台。
【請求項５８】
別種類の積載荷台（８３）を格納することを本来の目的とする貯蔵所（８２）に、積載荷台（１）の配置を可能にする装置であって、それによりその寸法、例えば前記別種類の積載荷台（８３）の部品（８６）の縦横の長さが、積載荷台（８３）が貯蔵所（８２）の中へ配置される前に事前評価されたものかどうかを判断するために制御装置（８５）が配置され、
荷台支持装置（８７）は、前記別種類の積載荷台（８３）の前記部品（８６）と所定の寸法そして可能であれば所定の形状も有し、前述した積載荷台（１）を貯蔵所に配置することができ、
制御装置（８５）が、別種類の前記積載荷台（８３）の前記部品（８６）の寸法あるいはこれらの装置上に配置される積載荷台（１）を有する荷台支持装置（８７）の対応部品（８６）の寸法のいずれかを判断し、これらの寸法が承認されれば、同一の観測結果に到達すること
を特徴とする装置。
【請求項５９】
前記荷台支持装置（８７）は金属材からなる、あるいはそれを有することを特徴とする請求項５８に記載の装置。
【請求項６０】
前記荷台支持装置（８７）はプラスチック材からなる、あるいはそれを有することを特徴とする請求項５８に記載の装置。
【請求項６１】
前記別種類の積載荷台（８３）は木製荷台および金属材からなる前述した積載荷台（１）であることを特徴とする請求項５８乃至６０に記載の装置。
【請求項６２】
前述の積載荷台（１）は第一、第二および第三棒（２、３および４）を有し、
第一棒（２）および第二棒（３）が原則として各々に平行して配置され、
第一棒（２）が原則として単一平面（８）に配置され、
第三棒（４）が第一棒（２）および第二棒（３）に対して垂直に配置され、またそれらの棒は前記平面（８）の下に存在し、第一棒（２）および第二棒（３）の上部（９）に接続されること
を特徴とする請求項５８乃至６１に記載の装置。
【請求項６３】
積載荷台であって、
第二棒（３）が原則として前記平面（８）に配置される上部（９）および前記平面（８）に関連して下方に向けられる下方向部（１０）を含み、
第三棒（４）が第一棒（２）および第二棒（３）に対して垂直に配置され、またそれらの棒は前記平面（８）の下に存在し、それらは第一棒（２）および第二棒（３）の上部（９）に接続され、
積載荷台（１）が対応する積載荷台（１）上へ積み重ねられ、それにより、一つの積載荷台（１）の下方向部（１０）が下に位置する積載荷台（１）の下方向部（１０）によって形成される上部開放空間（１４）内へ下方に突き出し、
第三棒（４）が、前記積載荷台（１）が下に位置する積載荷台（１）上に積み重ねられるときに、棒（２）が下に位置する積載荷台（１）から前記平面（８）に含まれるものとして棒（２）と接触するように積載荷台（１）上に配置され、
第三棒（４）の高さ（ｈ５）により、積み重ねられた積載荷台（１）の空間（２２）の高さが確保され、それにより積載荷台（１）を持ち上げるための昇降手段（１７）を前記空間（２２）に挿入することができること
を特徴とする請求項６２に記載の装置。
【請求項６４】
棒は金属材からなることを特徴とする請求項６２または６３に記載の装置。
【発明の詳細な説明】
【発明の詳細な説明】
【０００１】
この発明は金属棒からなる積載荷台に関する。
【０００２】
金属部品製の積載荷台は、すでに英国特許第１００８９２８号明細書、米国特許第３７０１３２６号明細書および欧州特許第０５７１４２９号明細書によって公知である。これらの周知の積載荷台は、しかしながら、複雑で重量のある構造からなり、積み重ねることが容易ではなく、あるいは少なくともフォークリフトの補助により積み重ねるのは困難である。
【０００３】
本発明の目的は、単純構造で安定した金属製積載荷台を提供し、フォークリフトの補助による積み重ねを容易にすることである。
【０００４】
当該発明はこの目的を、主に請求項１に記載の特徴を有する積載荷台により達成する。
【０００５】
単純かつ安定した軽量積載荷台の構造は、金属棒からなる積載荷台により達成される。数本の金属棒は相互に並行配置され、また数本は相互に横断配置される。さらに、一方では、積載荷台は前記棒のうちの数本により少数の棒からなり、相互に積み重ねられた積載荷台の間に昇降手段のための空間を形成することができる。更に、その積載荷台の構造により、空間を節約する方法で、またフォークリフト等の補助を用いて、積み重ねが容易になる。また、その積載荷台の構造は、荷台枠を適用するのに特に適しており、荷台枠を蓋に備えることにより、柔軟な積載容器が達成される。
【０００６】
本発明は添付の図面を参考に、詳細に説明される。
【０００７】
図１乃至図９に記載の積載荷台は、例えば、４本の第一棒２、３本の第二棒３、３本の第三棒４、および２本の第四棒５からなる。これらの棒２乃至棒５は、金属材、好適には亜鉛メッキ鋼からなる。
【０００８】
第一棒２は原則として直線状であり、積載荷台１の第一側部６と反対側の第二側部７の間に伸び、積載荷台１が形成する平面８に配置され、平面８の上に荷物が積載される。第二棒３は、原則的に第一棒２と平列配置され、また、側部６と側部７の間に伸びる。２本の第一棒２は、２本の前記第二棒３の間に配置され、図１に記載の積載荷台となる。第二棒３の各々は、前記平面８に位置する上部９を有し、少なくとも平面８に対して下方に伸びる２つの下方向部１０を有する。下方向部１０の各々は、２つの下方向部１１および１つの下部１２からなることができる。下方向部１０は、積載荷台１の支持脚を形成することを目的とし、底面１３上に設置されて空間１４を平面８の下に形成し、平面８は積載荷台１の第三側面１５および対向する第四側面１６が開放されている。この空間は平面８と下部１２の間の高さｈを有し、その高さは、上昇手段１７の高さｈ１と同等、あるいは好適にはｈ１よりも多少高く、上昇手段１７は前記空間１４に挿入されて積載荷台１を上昇させることが可能となる。上昇手段１７の部分は点線によって示され、好適には、例えばフォークリフトトラック（図中には図示せず）のような移動上昇装置の上に配置される。この下方向部１０の構造により、上昇手段１７を、平面８に位置する棒３および棒５の下に、積載荷台１の第三側部１５からあるいは第四側部１６から差し込むことが可能となり、積載荷台１が例えば底辺１３上に配置されているときは、底辺から上昇させることができる。
【０００９】
２つの下方向部１０は、図１に記載の積載荷台１の構造内に配置されるので、上昇装置の上昇手段１７のうちの１つを下方向部１０のうちの１つの空間１４に挿入することができる。一方、第二昇降手段を第二下方向部１０の空間１４に挿入することができる。
【００１０】
更に、下方向部は、空間１８が２つの隣接する第二棒３の間に形成されるように配置することができる。前記空間は、積載荷台の第一側部６と第二側部７に向かって解放されており、第三棒４と底辺１３の間の高さｈ１、すなわち上昇手段１７を前記空間１８に前記第一側部６と第二側部７から挿入することができるほどの高さを有する。前記空間１８は、図１に記載の荷台の構造内の各々と関連して配置されるので、１つの上昇手段１７を１つの空間１８に挿入することができ、一方、第二昇降手段１７を第二空間１８に挿入することができるが、それは積載荷台１が底辺１３上に配置される場合である。
【００１１】
図１によれば、積載荷台１は３本の第三棒４を有し、そのうちの２本は第一側部６と第二側部７に沿って伸びるように配置される。一方、第三棒は原則的にその他の２本と平行に配置され、原則的に積載荷台１の中心に位置する。
【００１２】
第三棒４は全て、第二棒３の上部９の下、および第一棒２の下部の下に配置される。
【００１３】
２本の第四棒５は、原則として直線状であり、第一棒２と平行である。それらは、積載荷台１の外側の棒を構成する。
【００１４】
図１２に記載の積載荷台１は、図１に記載の積載荷台１と非常に類似する。このため、図１の符号は図１２の同等の部品に適用される。図１２に記載の積載荷台１の構造と図１に記載の構造の差異は、図１２に記載の積載荷台１内の第二棒の下方向部１０が異なる形態を有することである。また、例えば、図１では第二棒３の各々には下方向部が２つ存在するが、図１２では当該下方向部１０が３つ存在する。さらに、６本の第三棒４が存在し、それにより、これらの部材のうちの２本は、積載荷台１の第一側部６および第二側部７に沿って伸びるように配置される。一方、そのうちの２本は一対として２つの隣接する下方向部１０の間に配置される。
【００１５】
隣接する下方向部１０の各々の対は、図１２に記載の荷台の構造において、下方向部の間に空間１９を形成し、底面１３と平面８の間の高さｈ３、すなわち上昇手段１７をこの空間に挿入できるほどの高さを有する。図示される構造中の空間１９は、さらに、２本の第三棒４の間に配置され、またそれらは下方向部１０の各々の対の間に配置される。２つの隣接する空間１９は、さらに、好適には各々と関連して配置される。それにより、２つの上昇手段１７のうちの１つを、積載荷台１の第三側部１５または第四側部１６からそこに挿入することができる。
【００１６】
またこの場合、下方向部１０は、空間２０が２本の隣接する第二棒３の間で形成されるように配置することができる。その空間は、積載荷台１の第一側部６および第二側部７の方に解放されており、第三棒４と底辺１３の間の高さｈ４、すなわち上昇手段１７を前記空間２０に差し込むことができるほどの高さを有する。
【００１７】
図１および図１２に記載される積載荷台は各々の上に積み重ねることができる。それにより、積載荷台１の下方向部１０は、積荷２１の下部に位置する積載荷台１の下方向部１０によって形成される空間１４の上方開放部分へ下方に突出することができる。
【００１８】
第三棒４は、積み重ねられている間、積載荷台１の第三棒４が、第一棒２および好適には下に位置する積載荷台１の第二棒３の上部９と接触するよう配置される。
【００１９】
前記第三棒４は、上昇手段１７の高さと同等またはそれ以上の高さｈ５を有するように設計される。第三棒４は、このように、各々の上に積み重なる２台の積載荷台１の平面８の間の距離が第三棒４の高さｈ５と一致するように調節する。すなわち、空間２２の高さｈ５は、上昇手段１７と同等またはそれ以上の高さである。このため、上昇手段１７を前記空間２２に挿入すること、および前記空間から引き抜くことが可能となるのである。これにより、上昇手段１７を用いて全ての積荷２１を上昇させることが可能となるだけでなく、１台、２台またはその他の適切な台数の積載荷台１を積荷２１から上昇させることができる。
【００２０】
図１に記載の積載荷台１の構造内にある前記空間２２は、積荷２１の中に、下方向部１０の内側に形成される空間１４の一部を含む。一方、図１２に記載の積載荷台１の構造内の前記空間２２は、下方向部１０の間に空間１９を含む。
【００２１】
図４によれば、下方向部１０により形成される空間１４は、その他の構成要素間において、相互に積み重なる２台の積載荷台１の間の空間２２に含まれることが明白である。
【００２２】
下方向部１０は、積載荷台１の下方向部１０の下部１２が原則的に前記積載荷台１の下に位置する第三積載荷台１と同じ平面８に位置するように配置される。但しそれは、積載荷台１が相互に積み重ねられる場合である。
【００２３】
棒２乃至棒５は、適切な外形からなることができる。例えば、それらは原則的にＵ型の基本的形状からなり、そこから伸びる中心部２３および２本の支脚２４、２５を有することができる（図２および図３を参照）。図２によれば、第一棒２および第二棒３が、中心部２３と共に前記平面８上に、すなわち最上部に、支脚２４、２５を下方向に向けて配置されることが明白である。フランジ２６は支脚２４、２５から伸び、当該フランジは前記平面８に位置して第三棒４に取り付けられることができる。第一棒２のフランジ２６は、前記平面８から上方に伸びて中心部２３の高さで終端する上方向フランジ部２７を含むことができる。
【００２４】
図３によれば、第三棒４が支脚２４、２５から伸びるフランジ２８、２９を含むことが明白である。これらのフランジ２８、２９は平面８に位置することができ、第一棒２および第二棒３の上部９に取り付けることができる。
【００２５】
棒２乃至棒５のいくつかまたは全ては、内部への折り返し端部３０を含むことができる。
【００２６】
第一棒２、第二棒３および第四棒５は、ホローリベット３１により第三棒４に接続することができ、それは図３に点線によって図式的に描かれている。これらはホローリベットを適用することにより、穴のない当該棒の一部を通ってしっかりと固定することができる。
【００２７】
第二棒３の下方向部１０の下部１２は、摺動に対抗するレイヤーすなわち要素３２を含むことができる。要素３２はアルミニウムからなることができ、ホローリベット３１の補助により下部１２にしっかりと固定することができる。
【００２８】
図６によれば、積載荷台１の各々に、金属材、例えば亜鉛メッキ板金のようなものからなる少なくとも一個の荷台枠３３を備えることができる。荷台枠３３の側壁３４乃至側壁３７は下部に保持部３８を有し、積載荷台１の対応する棒２乃至棒５の周辺で保持されて、荷台枠３３が積載荷台１から滑り落ちないようにする。
【００２９】
これらの保持部３８は、関連する側壁３４乃至側壁３７の不可欠な部分として設計することができる。側壁３４乃至側壁３７は縦方向剛性突起３９を含むことができ、それは壁材からの圧力により、好適にはこの壁材を圧延することによって形成される。側壁３４乃至側壁３７は蝶番４０を使用して接合部により相互に取り付けることができ、荷台枠３３は原則的に平坦な装置に折り畳むことができる。図１１によれば、蝶番４０は１つの側壁、例えば側壁３６に沿う摘み４１を含むことができ、それは隣接する側壁、例えば側壁３７の凹部４２に嵌入されることが明白である。側壁３７も同様に摘み摘み４３を含むことができ、それは側壁３６の凹部４４に嵌入される。
【００３０】
これらの摘み４１、４３は、軸４５を保持する管状部、例えば旋回運動を可能にするように管部として設計することができ、蝶番４０は側壁３４乃至側壁３７の一部および前記軸４５よって形成される。
【００３１】
蓋４６は荷台枠３３上に配置され、荷台から内部の空間４８に蓋をする。この蓋は、好適には亜鉛メッキ金属材からなり、高さを有してもよく、荷台枠３３の側壁３４乃至側壁３７全体にわたって伸びる端部４７を含むことができる。端部４７は水あるいは物体のいずれか、あるいは両方が荷台枠３３内の空間４８に入ることを防ぐ。このように、空間４８に配置される物体で、例えば水や熱の少なくとも一つに影響を受けやすいものへの被害を防ぐことができる。
【００３２】
図９によれば、蓋４６は、蓋４６の上へ荷台枠３３を配置できるように設計されることは明白である。これにより、蓋４６がその下にある積載荷台１の空間４８ための蓋を、およびその上に配置される荷台枠３３によって形成される空間４８の底部を形成することができる。蓋４６は、同様に、上部の荷台枠３３上に配置され、この荷台枠内に空間４８を密封することができる。
【００３３】
図１０によれば、蓋４６は、積載荷台１をその上に配置できるように設計することができるのは明白である。この積載荷台１が蓋４６から滑り落ちるのを防止するため、蓋４６の四隅部分は、上方位置決め摺動防止器４９からなることができ、それは積載荷台１が蓋４６から滑り落ちるのを防止することを意図する。摺動防止器４９の各々は、共に溝５３を形成する３つの上方向部５０乃至上方向部５２からなることができる。溝５３には、蓋４６に配置された積載荷台１の下方向部１０を配置することができる。上方向部５０乃至上方向部５２のうちの１つ、例えば上方向部５２は穴５４を含むことができ、蓋４６を持ち上げるときに、その穴に指を差し込んで蓋４６を掴むことができる。
【００３４】
図１０によれば、蓋４６は荷台枠３３の上に配置することができ、このように荷台枠３３が積載荷台１の上方の蓋４６の上に形成する空間４８のための底部を形成することができるのは明白である。
【００３５】
第二棒３の下方向部１０のそれぞれは、支持部５５を含むことができ、それにより、積載荷台１の能力を強化して重い重量を支えることが可能となる。第三棒４のフランジ２８、２９は、これら支持部５５に接触する位置にあり、第三棒４を下部から支える（図１４を参照）。
【００３６】
応答機５６を積載荷台１のいずれか一部の上に配置して、例えば、第三棒４の中の１本により十分に保護し（図２および図３参照）、無線信号を受信するあるいは発信する、あるいはその両方を行って、例えば積載荷台１の位置を決定することができる。また、これらの信号を使用して、いつ積載荷台１を移動するか決定することもできる。それらを用いて、積載荷台１が移動した方向およびその移動距離を判断することもできる。応答機５６はＲＦＩＤタイプでもよく、応答機に対する無線信号、あるいは応答機からの無線信号、あるいはその両方の無線信号が積載荷台の金属部分によって中断されないように積載荷台１上に配置する。応答機５６は、主要動力源を有する能動タイプでも、あるいは動力源を有しない受動タイプであってもよい。
【００３７】
積載荷台１は、ネットあるいはそれと類似するものを含むことができるのは、図４で提案されたとおりであり、物品が棒の間の隙間から落下するのを防止するためである。またそのネットは、物品あるいは動物のどちらか、またはその両者が棒の間から上部に突き出ることを防止する。
【００３８】
図１６乃至図２０によれば、荷台枠３３は異なった設計をされてもよく、また、それを折り返したり、折り畳んだり、折り重ねたりすることが可能であるのは明白である。その最小高さｈ７は、その最大高さｈ６に比べて非常に低い。この荷台枠３３の高さ変更は、好適には荷台枠３３が積載荷台１上に配置される場合に行われる。しかしながら、荷台枠３３が積載荷台１から取り除かれる場合にも、当然に行われる。図１６乃至図２０によれば、蓋４６が荷台枠３３に配置される場合、その高さが変化することが明白である。
【００３９】
荷台枠３３の高さ変更を可能とするため、荷台枠３３を様々な方法で設計することができるのは、前記図１６乃至図２０に示すとおりである。すなわち、荷台枠３３は、図１６および図１７によれば、２つの端部５８、５９を含み、端部５８、５９は側面６２、６３から懸架されて接合部６０、６１により上段にて旋回することにより、内方向あるいは外方向に折り畳むことが可能である。側面６２、６３は中心に接合部６４、６５を有し、それにより側面が中心に折り畳むことが可能となる。但し、それは端部５８、５９が内方向に折り畳まれる場合に限定される（図１７参照）。荷台枠３３は、このような方法で積載荷台１の上に設置することができ、様々な部分、すなわち端部５８、５９および各々に隣接する側面６２、６３を有して、それにより、積載荷台の高さｈ７を非常に低くすることが可能となる（図１８参照）。
【００４０】
図１９および図２０によれば、荷台枠３３は、代替的に弾性体の端部および側部６６乃至側部６９を含み、側部は各々の方向へ折り畳むことができ、積載荷台１の上に設置して荷台枠３３の最大高さｈ６を最小高さｈ７まで減少させることができるのは明白である（図２０参照）。荷台枠３３の弾性壁６６乃至弾性壁６９は４本の堅い角柱７０によって保持されてもよく、角柱７０は定常位において積載荷台に取り付けられ、除去あるいは折り畳むことができるのは、弾性壁６６乃至弾性壁６９が折り畳まれる場合に限定される。蓋４６は角柱７０の上に配置され、前記角柱で支えられて垂直状態を維持することが可能となる。
【００４１】
図１１に記載の構造内の蝶番４０として設計されている接合部の軸４５は、積載荷台１上の支持部品７１で支えられてもよいが、それは荷台枠３３が積載荷台上に配置される場合に限定される。軸４５は、下方軸部７２および上方軸部７３を含んでもよい。下方軸部７２は下部枠７４を含み、上方軸部は上部枠７５を含んでもよい。下方軸部７２は、更に、下方向杭７６をその端に有してもよく、下方向杭７６は、積載荷台１の一部の穴７７に、また好適には支持部品７１の中の穴７８に差し込まれて、荷台枠３３を積載荷台上に配置する。上部枠７５は穴７９を有し、上部に配置される荷台枠３３の端部の杭７６が差し込まれる。下方軸部７２は、その上部にねじ穴８０を有することができ、上方軸部７３はネジ８１を有することができるため、軸部７２、７３をネジで取り付けることが可能である。それにより、荷台枠３３が２つ以上の部品からなる場合、それらをまとめることが可能となる。
【００４２】
荷台枠３３の端部および側部６６乃至側部６９は、弾性体の二重壁からなることができる。大気圧より高圧の気体を壁の間の空間に入れることができ、あるいは空気とは別の種類の気体を入れてもよい。例えば、アルゴンのような不活性ガスで、大気圧より高圧であってもそうでなくてもよく、また、制御装置があってもよく（図示せず）、気体の圧力およびその組成の変化のうちの少なくとも１つを測定する。このように、例えば破損の結果として壁面から液体漏れがあるどうかを判断できる。また、荷台枠３３の側部が破損したかどうかを判断できる。その場合、中間領域の圧力が低下しているからである。
【００４３】
荷台枠３３の弾性壁は、ケブラーからなることができ、またはケブラーを含んでもよい。弾性壁は積載荷台１上に配置することができ、また荷台枠３３の側部は透明でもよい。
【００４４】
第三棒４の何本かは補強のためのものであってもよく、これらは第三棒４のうちの外側の２本の棒の近くに配置されてもよい。それらは第四棒５、第二棒３および第一棒２の間に延びてもよいのは、図１にて提案されているとおりである。
【００４５】
代替的に、外側の棒３の下方向部１０を側部６、７の外端にできる限り近く配置することを可能にする目的で、荷台ホルダー内に積載荷台１を安定的に設置して、中心部２３に凹部を作り出し、前記側部６、７における第三棒４の支脚部２５および関連する下方向部１０の外部の下方向部１１が、前記凹部を通過して支脚部２４に至るようにすることができ、このように側部６、７の前記外縁部により近く達して、関連する第二棒３の関連上部９を取り除くと、図２ａおよび図３ａに極めて概略様式で示す構造が達成される。
【００４６】
更なる代替的な構造においては、図１に記載の構造の中間にある第二棒３を取り除くことができ、２本の外側の第二棒３のみが第二棒３の特定の構造のうちの何れか一つに保持される。
【００４７】
蓋４６を各々の上に積み重ねることが可能な場合、突出する杭を含むことができ（図示せず）、それは積載時に蓋が相互に圧迫し合うのを防止する。
【００４８】
本発明は、前述の構造および図面に示される構造に制限されない。添付の特許請求項の範囲内で変化することができる。例えば、図示されていないが、発明の一部の代替として、積載荷台１は図示される棒に追加して棒を有することができ、それらの棒はそれらの外形とは別の形状を有することができ、それとはまた別の形状を有することも可能である。更に、棒や、可能であれば荷台枠および蓋もまた、亜鉛メッキ金属材料以外の別の金属物質、すなわち、例えばアルミニウムまたはチタンからなることもできる。前記部品は、代替的に、金属物質以外の物質、すなわち、例えば複合材料からなることもできる。棒はホローリベットにより穴が付された部品を通して相互に取り付けることができる。代替的に、棒は、リベット打ち以外の方法、例えば溶接あるいは接着により相互に取り付けることができる。
【００４９】
積載荷台１およびその上に配置される積荷Ｌは貯蔵所８２に配置されてもよく、それは例えば、「ハイベイ（Ｈｉｇｈ−Ｂａｙ）」貯蔵所として知られる種類の、荷台のための貯蔵所であり（図２１および図２２参照）、本来は、別の種類の積載荷台８３の格納を意図している。輸送装置８４は、その上に積載荷台８３を配置することができ、貯蔵所８２に向かうＴの方向に移動されて、この貯蔵所内に積載荷台８３を輸送する。積載荷台８３は、貯蔵所に向かうＴの方向に移動中に制御装置８５を通過することもできる。その制御装置の目的は、適切な方法を用いて、積載荷台８３の下部あるいはその他の重要な部分８６が所定の寸法であるか、および可能であれば所定の形状であるかも確認することである。制御装置８５の制御信号はＫの矢印によって表示される。制御装置８５が、前記部分８６の寸法および可能であればその形状が所定の値に一致しないことを確認した場合、この装置は警告信号の発信を促すか、または輸送装置８４を停止させ、あるいは両者を実行することができる。
【００５０】
制御装置が積載荷台１すなわち積載荷台８３の種類以外の積載荷台を貯蔵所８２の中へ配置することを達成するために、荷台支持装置８７を使用することができ、それは積載荷台８３の前記下部８６が有する寸法と形状と同一の寸法と可能であれば形状を有する。積載荷台１は交換基地８８内の荷台支持装置８７の上に配置することができ、制御装置８５がこれらの上段に位置する積載荷台１により確認することができる。次に制御装置８５は、荷台支持装置８７の当該寸法および可能であれば形状が積載荷台８３の対応する寸法および可能であれば形状と一致することを登録し、このように積載荷台１に関する荷台支持装置８７の通過許可を警告信号の発信の促進なしで承認するため、荷台支持装置８７は積載荷台１と共に貯蔵所８２内に配置される。制御装置８５は、このように、前記照査業務中に同一の結果に辿り着き、積載荷台８３の前記部分８６の寸法あるいは荷台支持装置８７のその寸法を確認するかどうかとは無関係であり、積載荷台１および８３の両方の種類を同一の貯蔵所８２内に配置することができる。
【００５１】
別の種類の前記積載荷台８３は、貯蔵所８２内に貯蔵されることが本来の目的とされており、木製の荷台であってもよく、隅木あるいはそれと同等のものが下部８６の構成材であってもよい。
【図面の簡単な説明】
【００５２】
【図１】本発明に従う積載荷台の斜視図である。
【図２】図１に記載の積載荷台の端部である。
【図２ａ】図２に記載の端部の代替的な構造を図式的に示す図である。
【図３】図１に記載の積載荷台の端部の第二図である。
【図３ａ】図３に記載の端部の代替的な構造を図式的に示す図である。
【図４】相互に積み重ねられる図１に記載の積載荷台である。
【図５】相互に積み重ねられる図１に記載の４台の積載荷台の斜視図である。
【図６】図１に記載の積載荷台およびその上に配置される荷台枠の斜視図である。
【図７】図１に記載の積載荷台およびその上とさらにその上に配置される２つの荷台枠の斜視図である。
【図８】荷台枠用の３つの蓋が相互に積み重ねられている斜視図である。
【図９】図１に記載の積載荷台および相互に積み重ねられる２つの荷台枠と１つの蓋の斜視図である。
【図１０】図１に記載の積載荷台およびその上に積み重ねられる２つの荷台枠と１つの蓋、並びにその上に配置される図１に記載の積載荷台およびその上に積み重ねられる２つの荷台枠と１つの蓋の斜視図である。
【図１１】図１０の一部を拡大した斜視図である。
【図１２】本発明に従う代替的な構造を有する積載荷台の斜視図である。
【図１３】図１２に記載の３台の積載荷台が相互に積み重ねられる図である。
【図１４】図１に記載の積載荷台の一部を図式的に示す図である。
【図１５】図６に記載の荷台枠のための軸の側面図である。
【図１６】図１に記載の積載荷台および標準型である代替的な構造を有し端部が折り込まれる荷台枠の図である。
【図１７】図１６に記載の荷台枠が、その側部を折り込まれたときの図である。
【図１８】図１６および図１７に記載の荷台枠が、完全に折り畳まれた状態の図である。
【図１９】図１に記載の積載荷台および弾性材からなる側面を有する荷台枠の図である。
【図２０】図１９に記載の荷台枠が、完全に折り畳まれた状態の図である。
【図２１】特に図１に記載の積載荷台の制御および格納のための配置を図式的に示す図である。
【図２２】特に図１に記載の積載荷台の制御および格納のための配置を図式的に示す図である。
【図１】
2009500260.tif 000003
【図２】
2009500260.tif 000004
【図２ａ】
2009500260.tif 000005
【図３】
2009500260.tif 000006
【図３ａ】
2009500260.tif 000007
【図４】
2009500260.tif 000008
【図５】
2009500260.tif 000009
【図６】
2009500260.tif 000010
【図７】
2009500260.tif 000011
【図８】
2009500260.tif 000012
【図９】
2009500260.tif 000013
【図１０】
2009500260.tif 000014
【図１１】
2009500260.tif 000015
【図１２】
2009500260.tif 000016
【図１３】
2009500260.tif 000017
【図１４】
2009500260.tif 000018
【図１５】
2009500260.tif 000019
【図１６】
2009500260.tif 000020
【図１７】
2009500260.tif 000021
【図１８】
2009500260.tif 000022
【図１９】
2009500260.tif 000023
【図２０】
2009500260.tif 000024
【図２１】
2009500260.tif 000025
【図２２】
2009500260.tif 000026
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
積載荷台であって、
少なくとも第一、第二および第三棒（２、３、４）を含み、
第一棒（２）および第二棒（３）が原則として各々に平行して配置され、
第一棒（２）が原則として平面（８）に配置され、
第二棒（３）が原則として前記平面（８）に配置される上部（９）および前記平面（８）に対して下方に向けられる下方向部（１０）を含み、
第三棒（４）が第一棒（２）および第二棒（３）に対して垂直に配置され、またそれらの棒は前記平面（８）の下に存在し、それらは第一棒（２）および第二棒（３）の上部（９）に接続され、
積載荷台（１）が対応する積載荷台（１）上へ積み重ねられ、それにより、一つの積載荷台（１）の下方向部（１０）が下に位置する積載荷台（１）の下方向部（１０）によって形成される上部開放空間（１４）内へ下方に突き出し、
第三棒（４）が、前記積載荷台（１）が下に位置する積載荷台（１）上に積み重ねられるときに、棒（２）が下に位置する積載荷台（１）から前記平面（８）に含まれるものとして棒（２）と接触するように積載荷台（１）上に配置され、
第三棒（４）の高さ（ｈ５）により、積み重ねられた積載荷台（１）の空間（２２）の高さが確保され、それにより積載荷台（１）を持ち上げるための昇降手段（１７）を前記空間（２２）に挿入することができること
を特徴とする積載荷台。
【請求項２】
下方向部（１０）が空間（１４または１９）を形成し、その中へ昇降手段（１７）を挿入することができ、その空間は相互に積み重ねられる異なった積載荷台（１）の間で前記空間（２２）によって囲まれることを特徴とする請求項１に記載の積載荷台。
【請求項３】
下方向部（１０）が、相互に積み重ねられる異なった積載荷台（１）の間で前記空間（２２）によって囲まれる二つの空間（１４または１９）を形成し、
二つの昇降手段（１７）のうちの一つが各々の前記空間（１４または１９）に挿入することができること
を特徴とする請求項１または２に記載の積載荷台。
【請求項４】
下方向部（１０）によって形成される空間（１４）は、前記下方向部（１０）に配置されることを特徴とする請求項２または３に記載の積載荷台。
【請求項５】
下方向部（１０）によって形成される空間（１９）は、下方向部（１０）の間に、好適には下方向部（１０）の間に配置される第三棒（４）の間に配置されることを特徴とする請求項２乃至４のいずれかに記載の積載荷台。
【請求項６】
積載荷台（１）が相互に積み重ねられたときに、上部の積載荷台（１）の下方向部（１０）は、上部の積載荷台（１）の下部に位置する積載荷台（１）の下方向部（１０）によって形成される上方開放空間（１４）と連携するように接触し、積み重ねられるときに積載荷台（１）が無理に押し込まれて抜けなくなるのを防止するように第三棒（４）の高さ（ｈ５）が選択されて下方向部（１０）が設計されることを特徴とする前項のいずれかに記載の積載荷台。
【請求項７】
第四棒（５）が原則として積載荷台（１）の前記平面（８）に位置し、原則として第一棒（２）および第二棒（３）に平行に配置され、積載荷台（１）の反対側に沿う側面の棒のように伸びることを特徴とする前項のいずれかに記載の積載荷台。
【請求項８】
積載荷台（１）が相互に積み重ねられたときに、積載荷台（１）の下方向部（１０）の下部（１２）は前記積載荷台（１）の下に位置する第三積載荷台（１）の当該平面（８）と原則的に同一面上に位置し、そこに前記第一棒（２）、第二棒（３）および第三棒（４）が位置するように下方向部（１０）が配置されることを特徴とする前項のいずれかに記載の積載荷台。
【請求項９】
前記第一、第二、第三および、また可能ならば第四棒（２、３、４およびまた可能ならば５）は、主にＵ型の基本的形状を横断面で示し、それは中心部（２３）とこの中心部から放射状に延びる支脚（２４、２５）を有することを特徴とする前項のいずれかに記載の積載荷台。
【請求項１０】
第一棒（２）および第二棒（３）のうちの少なくとも１つは前記平面（８）の上に存在しているそれらの中心部（２３）および下方向の支脚（２４、２５）に配置され、
支脚（２４、２５）がフランジ（２６）を有し、主に前記平面（８）に存在し、第一棒（２）および第二棒（３）が第三棒（４）に接続すること
を特徴とする請求項９に記載の積載荷台。
【請求項１１】
第一棒（２）が上方向フランジ部（２７）を有し、前記平面（８）に対して上方に伸びることを特徴とする請求項１０に記載の積載荷台。
【請求項１２】
第三棒（４）が、最も低い位置にある中心部（２３）および上方向の支脚（２４、２５）に配置され、
支脚（２４、２５）がフランジ（２８、２９）を有し、主に前記平面（８）に存在し、第三棒（４）を通して第一棒（２）および第二棒（３）に接続されること
を特徴とする請求項９乃至１１のいずれかに記載の積載荷台。
【請求項１３】
棒（２‐４）が内部への折り返し端部（３０）を有することを特徴とする前項のいずれかに記載の積載荷台。
【請求項１４】
第三棒（４）が凹鋲（３１）により、第一棒（２）、第二棒（３）および適切な場合には第四棒（５）と接続されることを特徴とする前項のいずれかに記載の積載荷台。
【請求項１５】
凹鋲（３１）が、穴のない棒（２−５）の一部を通して鋲止めされることを特徴とする請求項１４に記載の積載荷台。
【請求項１６】
棒（２‐５）は金属材、好適には亜鉛メッキ金属材からなることを特徴とする前項のいずれかに記載の積載荷台。
【請求項１７】
各々の積載荷台（１）が４本の第一棒（２）および３本の第二棒（３）を有し、２本の第一棒（２）が２本の第二棒（３）の間に配置されることを特徴とする前項のいずれかに記載の積載荷台。
【請求項１８】
各々の第二棒（３）が２つの下方向部（１０）有することを特徴とする前項のいずれかに記載の積載荷台。
【請求項１９】
各々の第二棒（３）が３つの下方向部（１０）を有することを特徴とする前項のいずれかに記載の積載荷台。
【請求項２０】
第二棒（３）の下方向部（１０）は下部（１２）を有し、それを通じて下方向部（１０）が底面（１３）と接触すること目的とし、
層すなわち要素（３２）が前記下部（１２）上に配置され、底面（１３）上の積載荷台（１）の摺動を防止すること
を特徴とする前項のいずれかに記載の積載荷台。
【請求項２１】
保護層すなわち保護要素（３２）が前記下部（１２）に配置され、好適にはアルミニウムからなりまたは含み、好適には鋲により取り付けられ、好適にはホローリベット（３１）により取り付けられることを特徴とする請求項２０に記載の積載荷台。
【請求項２２】
少なくとも１本の第三棒（４）が第二棒（３）の二つの下方向部（１０）の間に配置されることを特徴とする前項のいずれかに記載の積載荷台。
【請求項２３】
第二棒（３）の２つの下方向部（１０）のそれぞれが、支持部分（５５）を有し、
第三棒が上から荷重を受けて配置されるときに、第三棒（４）が前記二つの下方向部（１０）の間に配置されるように支持部分（５５）が配置されること
を特徴とする請求項２２に記載の積載荷台。
【請求項２４】
第四棒（５）は原則的にＵ型形状、中心部（２３）、この中心部から広がる支脚（２４、２５）および各々の支脚（２４および２５）から広がるフランジ（２８および２９）を有し、
各々のフランジ（２８および２９）が支持部分（５５）のうちの１つと接触すること
を特徴とする請求項２３に記載の積載荷台。
【請求項２５】
少なくとも一つの荷台枠（３３）を積載荷台（１）上に配置することができ、好適には荷台枠（３３）が金属材からなることを特徴とする前項のいずれかに記載の積載荷台。
【請求項２６】
荷台枠（３３）が保持部（３８）を有する側壁（３４‐３７）を有し、保持部（３８）は荷台枠（３３）が積載荷台（１）上に配置されるときに積載荷台（１）の棒（２‐５）の周囲を掴んで荷台枠（３３）が積載荷台（１）から摺動することを防止することを特徴とする請求項２５に記載の積載荷台。
【請求項２７】
保持部（３８）が、関連する側壁（３４‐３７）と一体であるように設計されることを特徴とする請求項２６に記載の積載荷台。
【請求項２８】
側壁（３４‐３７）は縦補剛性隆起（３９）を有し、側壁（３４‐３７）の壁材からの圧力により、好適にはこの壁材を圧延することによって形成されることを特徴とする請求項２６または２７に記載の積載荷台。
【請求項２９】
荷台枠（３３）の側壁（３４‐３７）が、接合部によって蝶番（４０）を通して各々に接続されることを特徴とする請求項２５乃至２８のいずれかに記載の積載荷台。
【請求項３０】
蝶番（４０）が隣接する側壁（３４−３７）からの摘み（４１、４３）によって形成され、それを含む荷台枠（３３）は管状の部品を形成し、その部品は回転を可能にする方法で軸（４５）を握持することを特徴とする請求項２９に記載の積載荷台。
【請求項３１】
蓋（４６）を荷台枠（３３）上に配置することができ、蓋（４６）が好適には金属材からなることを特徴とする請求項２５乃至３０のいずれかに記載の積載荷台。
【請求項３２】
蓋（４６）は荷台枠（３３）の側壁（３４−３７）を超えて伸びる端部（４７）を有し、荷台枠（３３）上に蓋（４６）を配置して水および物体が荷台枠（３３）内部の積載空間（４８）に侵入するのを防止することができることを特徴とする請求項３１に記載の積載荷台。
【請求項３３】
蓋（４６）が別の積載荷台（１）を上に配置できるように設計されることを特徴とする請求項３１または３２に記載の積載荷台。
【請求項３４】
蓋（４６）が摺動防止器（４９）を有し、その上に配置される積載荷台（１）が摺動し落下することを防止することを特徴とする請求項３３に記載の積載荷台。
【請求項３５】
前記摺動防止器（４９）が溝（５３）を形成する３つの上方向部（５０‐５２）を有し、その中に蓋（４６）に配置された積載荷台（１）の下方向部（１０）を配置することができることを特徴とする請求項３４に記載の積載荷台。
【請求項３６】
上方向部（５０‐５２）のうちの少なくとも１つ（５２）が穴（５４）を有し、持ち上げるときにそこに指を置いて蓋（４６）を握持することができることを特徴とする請求項３５に記載の積載荷台。
【請求項３７】
積載荷台（１）上に蓋（４６）を配置して、蓋（４６）上に配置された荷台枠（３３）の空間（４８）の底部を形成することができることを特徴とする請求項３０乃至３６のいずれかに記載の積載荷台。
【請求項３８】
荷台枠（３３）を積載荷台（１）上に配置することができ、
荷台枠（３３）を折り返したり、折り畳んだり、折り重ねたりして最小高さｈ７を最大高さｈ６に比べて非常に低くすることが可能であること
を特徴とする前項のいずれかに記載の積載荷台。
【請求項３９】
荷台枠（３３）が積載荷台（１）上に配置されるときに、荷台枠（３３）を折り返したり、折り畳んだり、折り重ねたりすることができることを特徴とする請求項３８に記載の積載荷台。
【請求項４０】
蓋（４６）が荷台枠（３３）上に配置されるときに、荷台枠（３３）を折り返したり、折り畳んだり、折り重ねたりすることができるが、場合に限定されることを特徴とする請求項３８または３９に記載の積載荷台。
【請求項４１】
荷台枠（３３）が２つの端部（５８、５９）および２つの側部（６２、６３）を有し、
側部（６２、６３）に対して端部（５８、５９）を内側に折り畳むことができ、
端部（５８、５９）が折り畳まれた後、中心で側部（６２、６３）を折り畳むことができ、それにより端部（５８、５９）と側部（６２、６３）の一部が各々に隣接して配置されること
を特徴とする請求項３８乃至４０のいずれかに記載の積載荷台。
【請求項４２】
荷台枠（３３）が弾性体の端部および側部（６６‐６９）を有し、各々の方向へ折り畳むことができ、積載荷台（１）上に配置することができ、荷台枠（３３）がその最大高さ（ｈ６）より明らかに低い最小高さ（ｈ７）を達成することを特徴とする請求項３８乃至４１のいずれかに記載の積載荷台。
【請求項４３】
荷台枠（３３）の壁面（６６‐６９）は、４本の角柱（７０）によって直立が維持されて積載荷台（１）に取り付けられ、
角柱（７０）は積載荷台（１）から除去または積載荷台（１）に対して折り畳まれることを特徴とする請求項４２に記載の積載荷台。
【請求項４４】
蓋（４６）は前記角柱（７０）上に配置され、これらの角柱によって支持され、それにより角柱（７０）は垂直状態を維持できることを特徴とする請求項４３に記載の積載荷台。
【請求項４５】
荷台枠（３３）は角で接合部（４０）により相互に接続する４枚の側壁（３４‐３７）を有し、前記接合部は蝶番の形状を有して側壁（３４‐３７）を共に折ることができ、それにより荷台枠（３３）の高さを減少させ、
積載荷台（１）から荷台枠（３３）を取り外して共に折ることができること
を特徴とする請求項３８に記載の積載荷台。
【請求項４６】
各々の接合部（４０）は軸（４５）を有し、荷台枠（３３）が積載荷台（１）上に配置されるときに原則として垂直位を取り、
積載荷台（１）の一部が支持部品（７１）を有し、荷台枠（３３）が積載荷台（１）上に配置されたときに軸（４５）に対して支持を提供すること
を特徴とする請求項４５に記載の積載荷台。
【請求項４７】
各々の接合部（４０）が軸（４５）を有し、軸（４５）は２つの軸部（７２、７３）、すなわち下部枠（７４）を有する下軸部（７２）および上部枠（７５）を有する上軸部（７３）を有し、
下軸部（７２）は下方向端釘（７６）を有し、下方向端釘（７６）は積載荷台（１）の一部の穴（７７）に、好適にはこれの上の支持片（７１）の穴（７８）にも挿入することができることを目的とし、
上軸部（７３）は穴（７９）を有し、穴（７９）は下軸部（７２）の端釘（７６）を接合部に挿入することができることを目的とし、接合部は別の荷台枠（３３）の上段に配置される荷台枠（３３）の上に配置され、
下軸部（７２）および上軸部（７３）を荷台枠（３３）の側面上の摘み（４１、４３）に挿入することができ、下軸部（７２）および上軸部（７３）を相互に接続できること
を特徴とする請求項４５または４６に記載の積載荷台。
【請求項４８】
軸下部（７２）の下部枠（７４）と荷台枠（３３）の下端部の間を接触させることができ、軸上部（７３）の上部枠（７５）と荷台枠（３３）の上端部の間を接触させることができ、
軸部（７２、７３）を螺合することにより結合させることができ、一方で下部枠（７４）および上部枠（７５）が荷台枠（３３）の側面の異なる部位を結合することができること
を特徴とする請求項４６に記載の積載荷台。
【請求項４９】
荷台枠（３３）は弾性体の二重壁を有する側面（６６‐６９）を有し、
気体は壁と壁の間の空間内の大気圧以上で存在し、あるいは大気とは別種類、例えばアルゴンのようなガスが存在し、あるいはその両方であり、
制御装置は、空間内のガスの圧力およびガスの構成物の変化のうちの少なくとも１つを測定し、例えばこれらの壁面への被害を受けた結果として、壁面から液体漏れがあるどうかを判断するために配置されること
を特徴とする請求項３８乃至４８のいずれかに記載の積載荷台。
【請求項５０】
荷台枠（３３）の弾性壁は積載荷台（１）上に配置することができることを特徴とする請求項４９に記載の積載荷台。
【請求項５１】
荷台枠（３３）の側面の少なくとも一部は透明であることを特徴とする請求項３８乃至５０のいずれかに記載の積載荷台。
【請求項５２】
荷台枠（３３）の側面の少なくとも一部はケブラーからなるかまたはケブラーを含むことを特徴とする請求項３８乃至５１のいずれかに記載の積載荷台。
【請求項５３】
少なくとも一つの応答機（５６）を有し、無線信号を受信するあるいは発信する、あるいはその両方を行い、
応答機は、積載荷台（１）の金属の棒（２−５）から距離をおいて設置され、それらが応答機への、あるいはそれからの無線信号を中断することを防止すること
を特徴とする前項のいずれかに記載の積載荷台。
【請求項５４】
応答機（５６）がＲＦＩＤ型であることを特徴とする請求項５３に記載の積載荷台。
【請求項５５】
応答機（５６）は主要動力源を有する能動型であることを特徴とする請求項５４に記載の積載荷台。
【請求項５６】
応答機（５６）は主要動力源を有しない受動型であることを特徴とする請求項５４に記載の積載荷台。
【請求項５７】
積載荷台（１）がネット（５７）あるいはそれと類似するものを含み、物品が棒（２、３、４）の間の隙間から落下することを防止し、また物品あるいは動物のどちらか、またはその両者が棒の間から上部に突き出ることを防止することを特徴とする前項のいずれかに記載の積載荷台。
【請求項５８】
別種類の積載荷台（８３）を格納することを本来の目的とする貯蔵所（８２）に、前項のいずれかに記載の積載荷台（１）の配置を可能にする装置であって、それによりその寸法、例えば前記別種類の積載荷台（８３）の部品（８６）の縦横の長さが、積載荷台（８３）が貯蔵所（８２）の中へ配置される前に事前評価されたものかどうかを判断するために制御装置（８５）が配置され、
荷台支持装置（８７）は、前記別種類の積載荷台（８３）の前記部品（８６）と所定の寸法そして可能であれば所定の形状も有し、前述した積載荷台（１）を貯蔵所に配置することができ、
制御装置（８５）が、別種類の前記積載荷台（８３）の前記部品（８６）の寸法あるいはこれらの装置上に配置される積載荷台（１）を有する荷台支持装置（８７）の対応部品（８６）の寸法のいずれかを判断し、これらの寸法が承認されれば、同一の観測結果に到達すること
を特徴とする装置。
【請求項５９】
前記荷台支持装置（８７）は金属材からなる、あるいはそれを有することを特徴とする請求項５８に記載の装置。
【請求項６０】
前記荷台支持装置（８７）はプラスチック材からなる、あるいはそれを有することを特徴とする請求項５８に記載の装置。
【請求項６１】
前記別種類の積載荷台（８３）は木製荷台であることを特徴とする請求項５８乃至６０に記載の装置。
【国際調査報告】
2009500260.tif 000027
2009500260.tif 000028
2009500260.tif 000029
2009500260.tif 000030
2009500260.tif 000031
2009500260.tif 000032
2009500260.tif 000033
2009500260.tif 000034
2009500260.tif 000035